(57)【要約】【課題】安価，省スペースで且つ取付けの容易なアンテナ装置を提供する。【解決手段】アンテナ装置において，該アンテナ装置は受信可能状態に設置してあるオフセットパラボラアンテナの少なくとも上半分の周縁に取付ける為のアンテナ支持体と，該アンテナ支持体に保持されたアンテナ支柱と，該アンテナ支柱に着脱自在に固着したアンテナと，からなり，このアンテナ装置をオフセットパラボラアンテナの少なくとも上半分の周縁に取付けた時に，前記アンテナ支柱の軸線が鉛直に立設するように，前記アンテナ支柱が前記アンテナ支持体に対して可倒自在に固着すると共に，前記アンテナ支柱の寸法は，前記オフセットパラボラアンテナの電波到来方向を遮らない位置に前記アンテナが配設されるように構成する。【選択図】  図１
2006080883.tif 000002
【特許請求の範囲】
【請求項１】
アンテナ装置において，
受信可能状態に設置してあるオフセットパラボラアンテナの周縁に取付ける為のアンテナ支持体と，該アンテナ支持体に保持されたアンテナ支柱と，該アンテナ支柱に着脱自在に固着したアンテナと，からなるオフセットパラボラアンテナ取付用のアンテナ装置。
【請求項２】
前記アンテナ装置を受信可能状態に設置してあるオフセットパラボラアンテナの周縁に取付けた時に，前記アンテナ支柱の軸線が鉛直に立設するように，前記アンテナ支柱が前記アンテナ支持体に対して可倒自在に固着したことを特徴とした請求項１に記載のオフセットパラボラアンテナ取付用のアンテナ装置。
【請求項３】
前記アンテナ支柱の寸法は，前記オフセットパラボラアンテナの電波到来方向を遮らない位置に前記アンテナが配設されるように規定したことを特徴とした請求項１又は請求項２に記載のオフセットパラボラアンテナ取付用のアンテナ装置。
【請求項４】
前記アンテナ装置はＵＨＦ帯用の信号受信用であることを特徴とした請求項１乃至請求項３に記載のオフセットパラボラアンテナ取付用のアンテナ装置。
【請求項５】
前記アンテナ装置は受信可能状態に設置してあるオフセットパラボラアンテナの少なくとも上半分の周縁に取付けるように構成したことを特徴とした請求項１乃至請求項４に記載のオフセットパラボラアンテナ取付用のアンテナ装置。
【発明の詳細な説明】
【技術分野】
【０００１】
本発明は，主にテレビ信号の受信に利用されるアンテナ装置に関し，詳しくはオフセットパラボラアンテナ取付用のアンテナ装置の構造に関する。
【背景技術】
【０００２】
従来のテレビ共同受信においては，ＶＨＦ用のアンテナ，ＵＨＦ用のアンテナ，ＢＳなどの衛星受信用アンテナ等を屋根の上に設置したアンテナ支柱に取り付け，各信号を混合器で混合するなどした後に同軸ケーブルによって受信信号が宅内に引き込まれるように構成されていた。（例えば，特許文献１参照）
ところが，衛星コンバーターの特性向上などによって衛星アンテナの小型化が進むと共に，パラボラ鏡面がアルミ材を使って形成されるなど軽量化も進み，一般ユーザーであっても例えばアンテナ支持装置をベランダ等に設置して衛星アンテナを取付けることも多くなってきた。（例えば，特許文献２参照）
ところが従来のＵＨＦ帯の地上アナログ放送に加えて，同じＵＨＦ帯の電波を使った地上ディジタル放送が開始されることになり，上述のようなテレビ共同受信システムには，この地上ディジタル放送を受信するためにＵＨＦアンテナを新たにシステムに設置したり，地域においては従来の地上アナログ放送とは異なる送信塔からの地上ディジタル放送の電波を受信するために，更にＵＨＦアンテナを追加したりする需要が生じてきた。
また，この地上ディジタル放送を受信するためには，小型アンテナで受信可能な地域もあり，この場合においてもベランダに取付けたアンテナ支持装置のアンテナ支柱に衛星アンテナに加えてＵＨＦアンテナを取付ければ簡単に設置できる。（例えば，特許文献３参照）
【０００３】
【特許文献１】特開平９−２７５５１３号公報
【特許文献２】特開平２００２−２８０８１４号公報
【特許文献３】特開平２００３−００８３１６号公報
【発明の開示】
【発明が解決しようとする課題】
【０００４】
しかし，従来のアンテナ支柱一本に全てのアンテナを取付けて受信するテレビ共同受信システムのように，新しく追加するアンテナを既設のアンテナ支柱に取付けるには，大幅な改修工事が必要となり，一般ユーザーにおいて取付するためには危険を伴うものであった。
また，取付けを簡単に行なうためにベランダ等に取付けるためには，上述のような地上ディジタル放送受信用のアンテナ用に，ベランダへの取付けを簡単にするアンテナ支持装置を購入して取付けるか，衛星アンテナをベランダ等に取付ける為の既設のアンテナ支持装置を，アンテナが２つ取り付けられるものに変更することが必要となり，地上ディジタル放送を見るために経費がかさむといった問題があった。  
そこで本願においては，こうした問題点を解決するためになされたものであり，
その目的は，小型アンテナと該アンテナを支持するアンテナ支持装置とからなるアンテナ装置を提供することにある。
他の目的は，オフセットパラボラアンテナに取付け可能なアンテナ装置を提供することにある。
他の目的は，オフセットパラボラアンテナに取付け可能な地上ディジタル放送用のアンテナ装置を提供することにある。
他の目的及び利点は，図面及びそれに関した以下の説明により容易に明らかになるであろう。
【課題を解決するための手段】
【０００５】
上記課題を解決するために，請求項１の発明は，アンテナ装置において，受信可能状態に設置してあるオフセットパラボラアンテナの少なくとも上半分の周縁に取付ける為のアンテナ支持体と，該アンテナ支持体に保持されたアンテナ支柱と，該アンテナ支柱に着脱自在に固着したアンテナと，から構成される。
【０００６】
請求項２の発明は，請求項１に記載のオフセットパラボラアンテナ取付用のアンテナ装置において，前記アンテナ装置を受信可能状態に設置してあるオフセットパラボラアンテナの少なくとも上半分の周縁に取付けた時に，前記アンテナ支柱の軸線が鉛直に立設するように，前記アンテナ支柱が前記アンテナ支持体に対して可倒自在に固着できるように構成される。
【０００７】
請求項３の発明は，請求項１又は請求項２に記載のオフセットパラボラアンテナ取付用のアンテナ装置において，前記アンテナ支柱の寸法は，前記オフセットパラボラアンテナの電波到来方向を遮らない位置に前記アンテナが配設されるように規定するように構成される。
【０００８】
請求項４の発明は，請求項１乃至請求項３に記載のオフセットパラボラアンテナ取付用のアンテナ装置において，前記アンテナ装置はＵＨＦ帯用の信号受信用であるように構成される。
【０００９】
請求項５の発明は，請求項１乃至請求項４に記載のオフセットパラボラアンテナ取付用のアンテナ装置において，前記アンテナ装置は受信可能状態に設置してあるオフセットパラボラアンテナの少なくとも上半分の周縁に取付けるように構成した。
【発明の効果】
【００１０】
請求項１の発明によれば，アンテナ装置において，受信可能状態に設置してあるオフセットパラボラアンテナの少なくとも上半分の周縁に取付ける為のアンテナ支持体と，該アンテナ支持体に保持されたアンテナ支柱と，該アンテナ支柱に着脱自在に固着したアンテナと，から構成したので，
コストが安価で且つ省スペースにアンテナ装置を取付けることができる。
【００１１】
請求項２の発明によれば，請求項１に記載のオフセットパラボラアンテナ取付用のアンテナ装置において，前記アンテナ装置を受信可能状態に設置してあるオフセットパラボラアンテナの少なくとも上半分の周縁に取付けた時に，前記アンテナ支柱の軸線が鉛直に立設するように，前記アンテナ支柱が前記アンテナ支持体に対して可倒自在に固着できるように構成したので，
衛星アンテナの設置の状態においてアンテナ装置を正しく鉛直に設置することができる。
【００１２】
請求項３の発明によれば，請求項１又は請求項２に記載のオフセットパラボラアンテナ取付用のアンテナ装置において，前記アンテナ支柱の寸法は，前記オフセットパラボラアンテナの電波到来方向を遮らない位置に前記アンテナが配設されるように規定するように構成したので，
既存の衛星からの信号の受信に影響することなく，コストが安価で且つ省スペースにアンテナ装置を取付けることができる。 
【００１３】
請求項４の発明によれば，請求項１乃至請求項３に記載のオフセットパラボラアンテナ取付用のアンテナ装置において，前記アンテナ装置はＵＨＦ帯用の信号受信用であるように構成したので，
新しく開始された地上ディジタル放送の電波を受信するために，コストが安価で且つ省スペースにアンテナ装置を提供することができる。
【００１４】
請求項５の発明によれば，請求項１乃至請求項４に記載のオフセットパラボラアンテナ取付用のアンテナ装置において，前記アンテナ装置は受信可能状態に設置してあるオフセットパラボラアンテナの少なくとも上半分の周縁に取付けるように構成したので，
例えば，ベランダ等に取付けられたオフセットパラボラアンテナに本発明のアンテナ装置を取付ける特に，ベランダの手すりから大きく上体を乗り出すことなく取付けができることから，取付けが容易で，特に取付時の安全性において優れたアンテナ装置を提供できるのである。
【発明を実施するための最良の形態】
【００１５】
以下に，本発明を具体化した実施形態の例を，図面を基に詳細に説明する。
図１（ａ）は本発明に係るオフセットパラボラアンテナ取付用のアンテナ装置の第１実施例を示す側面図であり，（ｂ）は（ａ）におけるＡ―Ａ線断面図である。図２（ａ）は本発明の異なる例であり，（ｂ）は（ａ）におけるＢ−Ｂ線断面図である。図３（ａ）はアンテナ装置をオフセットパラボラアンテナ取付用のアンテナ装置の第２実施例を示す側面図であり，（ｂ）は（ａ）におけるＣ−Ｃ線断面図である。図４（ａ）は異なる実施例を示し，（ｂ）は（ａ）におけるＤ−Ｄ線断面図である。図５は第２実施例のアンテナ支持装置の要部を拡大した断面図である。図６は本発明のアンテナ装置をオフセットパラボラアンテナに設置したときの側面図を示す。図７は本発明のアンテナ装置の取付位置を示す他の例を示す。
尚，以下の説明で方向を示す場合は，特に明示しない限り各図の（ａ）に示す正面図（ここではオフセットパラボラアンテナの背面方向から見た図である。）の方向を基準とする。
【実施例１】
【００１６】
本願の第１実施形態について図１を用いて説明する。図１において１は本発明のオフセットパラボラアンテナ取付用のアンテナ装置であり，２に示すオフセットパラボラアンテナ上端部に取付けた状態を示している。
アンテナ装置１はアンテナ部３とアンテナ支柱８とアンテナ支持装置１０とからなる。本発明の実施例において，前記アンテナ部３はアンテナ支持杆４に，図に示されていない複数の導波器と，放射器６と反射器７を備えた多素子アンテナで構成されており，このアンテナ部３には９に示す同軸ケーブルが接続されて，このアンテナ装置１はＵＨＦ帯の信号を用いた地上ディジタル放送を受信した信号を伝送するように構成されている。
【００１７】
このアンテナ部３は，アンテナ取付金具５によって前記アンテナ支柱８に上端部に着脱自在に狭着されている。本願の実施例のアンテナ取付金具５は，アンテナ支持杆４に添え付けて，当付片５ａとで前記アンテナ支柱８を挟持する添付片５ｂと，該添付片５ｂの反対側方向には，該添付片５ｂに対してアンテナ支持杆４を挟持するための挟持片５ｃが備えられ，前記当付片５ａ側から，添付片５ｂ，アンテナ支持杆４，挟持片５ｃを挿通させたネジ棒５ｄ，５ｄに，蝶ナット５ｅ，５ｅを螺合させることによってアンテナ部３を，アンテナ支柱の上方端部に取付けている。またアンテナ支柱８の下方端部はアンテナ支持装置１０に固着されている。
尚，アンテナ支柱８は，該アンテナ支柱８の軸線に直交する断面が円形をしているので，前記アンテナ部３はアンテナ支柱８の軸線に直交する方向に対して任意の方向に向けることができる。
【００１８】
次に前記アンテナ支持装置１０について説明する。本願の実施例において前記アンテナ支持装置１０は本体ベース２０と，当該本体ベース２０に枢着された押圧片３０と，前記枢着点より下方に位置する前記本体ベース２０と前記押圧片３０との先端部２４，３４を閉じる方向に付勢する付勢手段と，からなり，前記前記本体ベース２０と前記押圧片３０との先端部とでもって，オフセットパラボラアンテナ２の鏡面及び周縁部を挟み込むことによって固着される。
本体ベース２０は金属材料を屈曲成形したものである。本体ベース２０の略中央部には，本体ベース２０から奥行方向（所謂オフセットパラボラアンテナの表面方向）に切り欠いて突設させた第１の突設片２１が形成されている。この突設片２１の略中央部には雌ネジが形成されており，該雌ネジには上方からネジ棒２１ａが螺合されている。
【００１９】
更に前記突設片２１に対して本体ベース２０の左右方向端部には，前記突設片２１と同じ方向に突設させた第２の突設片２２ａ，２２ｂが形成されている。
前記第１の突設片２１と第２の突設片２２ａ，２２ｂとの間には，空間２３が形成されており，この空間２３にはオフセットパラボラアンテナの周縁に設けられた折返部２ａ及び鏡面の周縁部が収納されるような寸法に形成されている。即ち先ず前記折返部２ａを前記空間２２に収納したときに，折返部２ａの内周面を前記第２の突設部２２ａ，２２ｂの上面に当接するように載置する。前記突設部２２ａ，２２ｂは相互に略ハ字型に配設されるように折り曲げ成形してあり，オフセットパラボラアンテナ２の形状に対応させることができる。次に前記第１の突設片２１に備えさせたネジ棒２１ａの先端が前記折返部２ａの外周面を押圧するように螺着させるように構成されているのである。 
更に本体ベース２０の下側部分は本発明においては略逆Ｙ字型となるように左右に支持片２４，２４が形成されており，該支持片の先端部２４ａ，２４ｂは，オフセットパラボラアンテナ２の折返部２ａを前記突設片２１，２２に収納したときに，前記オフセットパラボラアンテナ２の背面の一部に当接させるよう，前記オフセットパラボラアンテナ２の背面の湾曲方向に対応する方向に折り曲げ成形させてある。
【００２０】
前記突設片２１の上方には，本体ベース２０の左右両端側から一体に折返し成形された枢着片２５ａ，２５ｂが形成されており，この枢着片２５において後述の押圧片３０と枢着されている。
更にその上方には，本体ベース２０に形成した雌ねじに本体ベース２０の手前側からネジ棒２６ａ，２６ｂが螺着されている。このネジ棒２６ａ，２６ｂの螺合の具合によって該ネジ棒の先端が後述の押圧片３０の内面側を押付ける付勢手段を構成している。
【００２１】
前記本体ベース２０の上端部には，本体ベース２０の手前側方向に向かって（所謂，オフセットパラボラアンテナ２の後面方向。）基部２７が本体ベース２０と一体的に形成されている。この基部２７の上面には，前記アンテナ支柱８の下端部が溶接等の周知の方法で固着されている。尚，本願の実施例によれば前記基部２７は本体ベースに対して直交する方向に突設させて固着されているが，この実施例に限定されるものでなく，オフセットパラボラアンテナの設置場所におけるオフセットパラボラアンテナの仰角に合うように折り曲げ角度を予め設定しておいても良いし，基部２７と本体ベース２０とをそれぞれ別体で形成して，基部２７と本体ベース２０とがなす角度を可変自在となるように枢着させても良い。
尚，本体ベース２０に形成された凸部２８ａ，２８ｂ，２９ａ，２９ｂ・・・は夫々本体ベースの強度を補強するために備えたものである。
【００２２】
次に押圧片３０について説明する。この押圧片３０は前記本体ベース２０に対向する位置に配設され，前記本体ベース２０の枢着片２５ａ，２５ｂに対向する位置に配設され，前記押圧片３０に一体的に形成された枢着片３５ａ，３５ｂを備えており，前記枢着片２５と前記枢着片３５とは可動自在に枢着されている。
更に枢着片の上方には，前記本体ベース２０に備えた付勢手段であるネジ棒２６ａ，２６ｂの先端が内面側に当接するように延設部３６を備えている。また，該延設部３６とは反対方向の下端部は，オフセットパラボラアンテナ２の前方向の湾曲に合わせて，該湾曲方向に折り返した押圧先端部３４ａ，３４ｂが，前記本体ベース２０の支持片２４，２４と対向する位置となるように形成されている。
【００２３】
尚，本発明の異なる実施形態を図２に示す。この実施例では付勢手段としてネジ棒を用いる替わりにバネ材４０を用いた例を示す。上記第１の実施形態のアンテナ装置と同様の構成要素については同一符号を付与し，詳細な説明は省略する。
この実施例ではアンテナ支柱８は押圧片３０に固着されており，オフセットパラボラアンテナ２の折返部２ａに当接させる突設片を押圧片３０側に形成（突設片３１で示す。）している。また本体ベース２０に形成した支持片２４は長さが異なる２４ｃを追加して３つ備えさせて付勢力を増すなどなど，実施例に示される構成に限定されること無く，各部を適宜に変更して構成しても良い。
【実施例２】
【００２４】
次に本発明の第２の実施形態を図３を参照して説明する。尚，以下の説明においても，上記第１の実施形態のアンテナ装置と同様の構成要素については同一符号を付与し，詳細な説明は省略する。
【００２５】
この実施例では，アンテナ装置１をオフセットパラボラアンテナ２に固着する方法を，付勢手段を用いて挟み込む方法から，ネジ棒を用いて鏡面に直接固着する方法である。
図３〜図５に示すようにこの実施例のアンテナ装置１は，アンテナ部３とアンテナ支柱８とアンテナ支持装置５０とからなる。この実施例においてもアンテナ部はＵＨＦ帯の電波を受信するアンテナであって，スケルトンアンテナからなる放射器６と反射器７から構成されたものである。
【００２６】
次にアンテナ支持装置５０について説明する。このアンテナ支持装置５０は本体ベース５１にオフセットパラボラアンテナ２の前面側に配設される前側側壁５６と，オフセットパラボラアンテナ２の後面側に配設される後側側壁５２とを断面略コ字上に一体に形成したものであり，前記側壁に囲まれてなる空間に，前記オフセットパラボラアンテナ２の周縁部２ａを収納するように構成されている。
本願の実施例においては，前記前側側壁５６は連続的に形成されており，前記後側側壁５２は左右両端部に支持片５２ａ，５２ｂを形成している。
更に前記空間には，前記支持片５２ａ，５２ｂの外形に対応した当付片５４ａ，５４ｂが備えられている。これらの当付片５４ａ，５４ｂは支持片５２ａ，５２ｂと，オフセットパラボラアンテナ２の背面との間に配設されており，前記支持片５２ａ，５２ｂの外側方向から，該支持片５２ａ，５２ｂに形成されたネジ孔にネジ棒５５ａ，５５ｂを螺合させることによって，該ネジ棒の先端を前記当付片５４ａ，５４ｂに押付けることによって，該当付片５４ａ，５４ｂをオフセットパラボラアンテナ２の周縁部２ａの内周面及びオフセットパラボラアンテナ鏡面の背面に当付け，本体ベース５１をオフセットパラボラアンテナの周縁部２ａに固着されるように構成されている。
【００２７】
図５を用いて更に詳しく説明する。尚，本図は説明を簡単にするために支持片５２ａについての詳細を示す要部拡大断面図である。
支持片５２ａの上部には長孔５３ａが形成されている。また，当付片５４ａは略フ字形に形成されており，この当付片５４ａの上側となる一方側の端部には凹部１５４，１５４が形成されている。前記当付片５４ａの図における左右方向の寸法は，前記長孔５３ａの長手方向の寸法よりやや短い寸法となるように形成されているので，前記当付片５４ａを図に対して略９０°回転させ，該当付片５４ａの一方側を前記長孔５３ａの内側から挿通し，前記凹部１５４，１５４が前記長孔５３ａの周縁に対向する位置に配置させてから，前記当付片５４ａを図の姿勢に戻すように取付ける。このとき前記凹部１５４，１５４の底部の間隔は，前記長孔５３ａの短辺の寸法よりやや小さくなるように形成されているので，前記当付片５４ａは前記長孔５３ａに対して，（ａ）に示すように上下方向及び回転方向に可動自在に組付けられることになる。
【００２８】
次にこのように構成された本体ベース５１に対して，オフセットパラボラアンテナ２を取付ける方法について説明する。先ず，前記アンテナ２の周縁部２ａ及びアンテナ鏡面の周縁部を本体ベース５１の内側に形成された空間に収納する。このとき，アンテナ２の前面側及び周縁部２ａを本体ベース２の上面及び前側側壁５２の内側に当接させる。次に前記当付片５４ａを前記アンテナ２の後面側及び周縁部２ａの内周面に当接させるのであるが，前述のように当付片５４ａは上下方向及び回転方向に可動自在に本体ベース５１に汲みつけられているので，この本体ベース５１の取付け対象であるアンテナ２の背面形状に合わせて前記当付片５４ａを当付ける事ができるのである。このような状態において，支持片５２ａに螺合されたネジ棒５５ａを締付けることによってアンテナ２に本体ベース５１を固着するのである。支持片５１ｂについても同様である。
【００２９】
前記本体ベース５１には前記後側側壁５２の構成する平面と並行配置されるように前記本体ベース５１から一体的に延設された延設部５７が形成されている。この延設部５７の略中央部には貫通孔が形成されている。更にこの延設部と対向する位置には，前記貫通孔に枢着手段５８によって回転自在に枢着するように形成された基台５９が具備されている。
基台５９には前記アンテナ支柱８を取付けるのであるが，該基台５９にはオフセットパラボラアンテナ２の設置の状態に合わせてアンテナ支柱８を略鉛直方向に向けるために平面部５９ａが備えられており，相互に連設して略へ字形状に形成されている。尚，本発明の実施形態によれば基台５９は平面部と枢着部とが一体的に形成されているのであるが，平面部と枢着部とが任意の角度を構成できるように別体で構成しても良い事は言うまでもない。また図４に示すように，本願のアンテナ装置１をオフセットセットパラボラアンテナ２の横方向に取付ける場合には，基台５９の寸法をアンテナ部３がオフセットパラボラアンテナ２に当接しない所定長さに形成すればよい。
尚，図６にはオフセットパラボラアンテナに対する電波到来方向の詳細について示してある。図のように衛星からの電波は，仰角（電波到来方向と水平面とのなす角度）分だけ上方から到来する。そこで，上記第１及び第２の実施形態の何れにおいても，本発明のアンテナ装置１をオフセットパラボラアンテナ２に取付けた時に，アンテナ部３の各エレメント等が電波到来方向を遮らない寸法にアンテナ支柱の長さを所定長さに設定してある。
この図において６０はアンテナ支持装置，６１はベランダの手すりである。
更に図７（ａ）に示すように，本発明のアンテナ装置を屋根６２の上に設置されている既設のアンテナマストに取付けられているオフセットパラボラアンテナ２に取付ける場合は，工事の安全等を鑑みて，前記オフセットパラボラアンテナ２の下部周縁に取付けるように構成下も良いし，例えば屋根の庇によって電波が遮られないように，ベランダの低い位置にオフセットパラボラアンテナ２を設置したような場合は，上記理由と同様に取り扱いの容易性から，オフセットパラボラアンテナ２の上端部周縁に取り付けるように構成した方が取付性が良いといったように，前記第１及び第２の実施形態に限定することなく，オフセットパラボラアンテナの周縁の何れに取付けるように構成してもよい事は言うまでもない。
【００３０】
このように本願の実施例によれば，例えば新しく開始された地上ディジタル放送を受信するために，従来のアンテナ支柱一本に全てのアンテナを取付けて受信するテレビ共同受信システムに，新しく追加するアンテナを既設のアンテナ支柱に取付ける方法のように，大幅な改修工事や危険を伴うこともなく，また，取付けを簡単に行なうためにアンテナ装置をベランダ等に取付けるために，ベランダ等への取付けを簡単にするアンテナ支持装置を購入して取付けるか，衛星アンテナをベランダ等に取付ける為の既設のアンテナ支持装置を，アンテナが２つ取付けられるものに変更することで経費がかさむともなく，既設のオフセットパラボラアンテナの周縁部に取付けられることによって，設置のコストや作業性のよさや，設置場所を広く取る必要がない省スペース設計であるなど，有効性の高い小型のアンテナ装置を提供できるのである。
尚，本発明は上記実施の形態に限定されるものではなく，本発明の趣旨を逸脱しない範囲で各部の構成を適宜に変更して実施することも可能である。
【図面の簡単な説明】
【００３１】
【図１】（ａ）は本発明に係るオフセットパラボラアンテナ取付用のアンテナ装置の第１実施例を示す側面図であり，（ｂ）は（ａ）におけるＡ―Ａ線断面図である。
【図２】（ａ）は本発明の異なる例であり，（ｂ）は（ａ）におけるＢ−Ｂ線断面図である。
【図３】（ａ）はアンテナ装置をオフセットパラボラアンテナ取付用のアンテナ装置の第２実施例を示す側面図であり，（ｂ）は（ａ）におけるＣ−Ｃ線断面図である。
【図４】（ａ）は第２実施例の異なる例を示し，（ｂ）は（ａ）におけるＤ−Ｄ線断面図である。
【図５】（ａ）は第２実施例のアンテナ支持装置の要部を拡大した断面図である。（ｂ）は（ａ）におけるＥ−Ｅ線断面図である。
【図６】本発明のアンテナ装置をオフセットパラボラアンテナに設置したときの側面図を示す。
【図７】（ａ），（ｂ）本発明のアンテナ装置の取付位置を示す他の例を示す。
【符号の説明】
【００３２】
１…アンテナ装置，２…オフセットパラボラアンテナ，２ａ…周縁部（折返部），３…アンテナ部，４…アンテナ支持杆，５…アンテナ取付金具，５ａ当付片，５ｂ…添付片，５ｃ…挟持片，５ｄ…ネジ棒，５ｅ…蝶ナット，６…放射器，７…反射器，８…アンテナ支柱，９…給電線，１０…アンテナ支持装置，２０…本体ベース，２１…第１の突設片，２１ａ…ネジ棒，２２…第２の突設片，２３…空間，２４…支持片，２４ａ・２４ｂ・２４ｃ…先端部，２５…枢着片，２６…ネジ棒（付勢手段），２７…基部，２８・２９……補強用凸部，３０…押圧片，３４…押圧先端部，３５…枢着片，３６…延設部，４０…バネ材，５０…アンテナ支持装置，５１…本体ベース，５２…後側側壁，５２ａ・５２ｂ…支持片，５３…長孔，５４…当付片，１５４・１５４…凹部，５５…ネジ棒，５６…前側側壁，５７…延設部，５８…ネジ棒（枢着手段），５９…基台，５９ａ…平面部，６０…アンテナ支持装置，６１…ベランダ，６２…屋根，６３…ステー，６４…アンテナ
【図１】
2006080883.tif 000003
【図２】
2006080883.tif 000004
【図３】
2006080883.tif 000005
【図４】
2006080883.tif 000006
【図５】
2006080883.tif 000007
【図６】
2006080883.tif 000008
【図７】
2006080883.tif 000009